(57)【特許請求の範囲】
【請求項１】
パケットデータを送受信する複数のパケット送受信手段と、固定速度データを送受信する複数の固定速度データ送受信手段と、前記複数のパケット送受信手段および前記複数の固定速度データ送受信手段に対してそれぞれのデータの送受信タイミングを個別に指示する多重位置制御手段と、複数のパケットデータと複数の固定速度データを前記多重位置制御手段により指示された送受信タイミングで時間別に切り替えることにより、パケットデータと固定速度データを多重伝送させる多重伝送手段と、を備えたことを特徴とするパケットおよび固定速度データ多重伝送装置。
【請求項２】
多重位置制御手段は、パケット送受信手段および固定速度データ送受信手段が送受信するタイミングを、あらかじめ決められた時刻に固定し、その一連の固定タイミングを一定の周期で繰り返すことによって多重伝送する請求項１記載のパケットおよび固定速度データ多重伝送装置。
【請求項３】
固定速度データ送受信手段およびパケット送受信手段を一組のデータ送受信手段として構成し、前記データ送受信手段は多重位置制御手段によって指示されたタイミングで固定速度データまたはパケットデータのいずれかを送信することを特徴とする請求項１又は２に記載のパケットおよび固定速度データ多重伝送装置。
【請求項４】
データ送受信手段によって送信するデータに固定速度データまたはパケットデータであることを識別するための識別情報を付加して送信する識別子付与手段を設けた請求項３記載のパケットおよび固定速度データ多重伝送装置。
【請求項５】
データ送受信手段によって送信するデータが固定速度データまたはパケットデータであることを示す識別情報を受信側に伝達するための信号線を設けた請求項３記載のパケットおよび固定速度データ多重伝送装置。
【発明の詳細な説明】
【０００１】
【発明の属する技術分野】
本発明は、パケット交換機、ＡＴＭ(Asynchronous Transfer Mode)交換機、ＡＴＭ多重化装置などの通信装置等に使用するパケットおよび固定速度データ多重伝送装置に関する。
【０００２】
【従来の技術】
図４は従来の固定速度データの伝送装置を示す構成図である。図示のように、装置は複数の送受信部２６〜２８、多重伝送部２５、多重位置制御部２９で構成されている。送受信部２６〜２８は、それぞれ固定速度データを送受信する。多重位置制御部２９は、固定速度データ送受信部２６〜２８に送信タイミングを指示する。多重伝送部２５は、固定速度データ送信部２６〜２８の固定速度データを多重化して送受信する。
【０００３】
上記構成による動作を説明すると、多重位置制御部２９は、固定速度データ送受信部２６〜２８に送受信する送受信タイミングを順に指示し、固定速度データ送受信部２６〜２８は指示された時刻別にうち１つから固定速度データを送受信することによって多重伝送部２５を介して多重伝送する。
【０００４】
このように、上紀従来の固定速度データの伝送装置では、多重位置制御部２９が固定速度データ送受信部２６〜２８に対し送受信するタイミングを指示して多重伝送部２５によって送受信する構成である。
【０００５】
【発明が解決しようとする課題】
しかしながら、従来の方式の場合、固定速度データとパケットデータを同一の伝送手段に多重送信することができないという欠点があり、固定速度データ送受信手段からのデータを多重伝送する固定速度データ多重装置と、パケット多重装置を別に用意する必要があった。
【０００６】
本発明は、上記問題を解決するために、パケットデータと固定速度データを同一の伝送手段で多重伝送することができる多重伝送装置を提供することを目的とする。
【０００７】
【課題を解決するための手段】
本発明は、上記目的を達成するために、複数のパケット送受信手段と、複数の固定速度データ送受信手段と、複数のパケット送受信手段および複数の固定速度データ送受信手段に対してそれぞれのデータの送信タイミングを個別に指示する多重位置制御手段と、複数のパケットデータと複数の固定速度データを多重位置制御手段により指示された送受信タイミングで時間別に切り替えることによって多重伝送する多重伝送手段を設けたものであり、パケットデータと固定速度データを同一の伝送手段で送受信することができる。
【０００８】
【発明の実施の形態】
本発明の請求項１に記載の発明は、パケットデータを送受信する複数のパケット送受信手段と、固定速度データを送受信する複数の固定速度データ送受信手段と、複数のパケット送受信手段および複数の固定速度データ送受信手段に対してそれぞれのデータの送受信タイミングを個別に指示する多重位置制御手段と、複数のパケットデータと複数の固定速度データを前記多重位置制御手段により指示された送受信タイミングで時間別に切り替えることにより、パケットデータと固定速度データを多重伝送させる多重伝送手段とを備えたものであり、パケット送受信手段がパケットデータを送受信し、固定速度データ送受信手段が固定速度データを送受信する。多重位置制御手段はこれらパケット送受信手段、固定速度データ送受信手段が送受信するタイミングを時間別に切り替え制御し、多重伝送手段は多重位置制御手段によって指示されたデータを伝送する。これにより、同一の伝送手段でパケットおよび固定速度データを多重伝送することができる。
【０００９】
請求項２記載の発明は、多重位置制御手段は、パケット送受信手段および固定速度データ送受信手段が送受信するタイミングを、あらかじめ決められた時刻に固定し、その一連の固定タイミングを一定の周期で繰り返すことによって多重伝送する構成であり、パケットデータおよび固定速度データが送受信するタイミングを一連の固定タイミングを一定の周期で繰り返して多重伝送することができる。
【００１０】
請求項３記載の発明は、固定速度データ送受信手段およびパケット送受信手段を一組のデータ送受信手段として構成し、データ送受信手段は多重位置制御手段によって指示されたタイミングで固定速度データまたはパケットデータのいずれかを送信する構成であり、多重位置制御手段は固定速度データまたはパケットデータの送受信タイミングを任意に決定して多重伝送することができるようになる。
【００１１】
請求項４記載の発明は、データ送受信手段によって送信するデータに固定速度データまたはパケットデータであることを識別するための識別情報を付加して送信する識別子付与手段を設けた構成であり、識別子付与手段は送信するデータに固定速度データまたはパケットデータに対応した識別情報を付加して送信することにより、受信側ではこの識別情報に基づき受信したデータが固定速度データまたはパケットデータのいずれであるかを判別できる。
【００１２】
また、請求項５記載の発明は、データ送受信手段によって送信するデータが固定速度データまたはパケットデータであることを示す識別情報を受信側に伝達するための信号線を設けた構成であり、信号線を介してデータ送受信手段によって送受信されたデータが固定速度データまたはパケットデータであるということを区別する識別情報を送信し、受信側ではこの識別情報に基づき受信したデータが固定速度データまたはパケットデータのいずれであるかを判別できる。
【００１３】
以下、本発明のパケットおよび固定速度データ多重伝送装置の実施形態を詳細に説明する。図１は本発明の第１実施形態の装置構成を示すブロック図である。図示のように装置は、多重伝送部１と、送受信部２〜８と、多重位置制御部９で大略構成されている。
【００１４】
多重伝送部１は送受信部２〜８により送受信されるデータを多重伝送する。送受信部２〜８は、パケットデータ送受信部２〜４と、固定速度データ送受信部５〜８によって構成されている。パケットデータ送受信部２〜４および固定速度データ送受信部５〜８は、それぞれ多重伝送部１に対してデータの送受信をする。多重位置制御部９は、パケットデータと国定速度データの伝送タイミングを決定する。
【００１５】
以上のように構成されたパケットおよび固定速度データ多重装置の動作を説明する。多重位置制御部９は、多重伝送部１へ伝送する送受信部を決定する。送受信するタイミングを指示されたパケットデータ送受信部２〜４、および固定速度データ送受信部５〜８は、そのタイミングに合わせて多重伝送部１に対してデータの送受信を行なう。
【００１６】
図２は、上記構成における送受信のタイミングを示すタイミングチャートである。同図には、パケットデータ送受信部２〜４、および固定速度データ送受信部５〜８が送受信するタイミングが示されている。多重位置制御部９は、図示の例では２５６ＴＳ内で一定の周期でパケットデータ（１２０ＴＳ）と、固定速度データ（１３２ＴＳ）の多重化を切換えるようになっている。
【００１７】
パケット送受信手段用データ列１０は、パケット送受信部２〜４が多重伝送部１に対してデータの送受信をするタイミングである。固定速度データ送受信用データ列１１は、固定速度データ送受信部５〜８が多重伝送部１に対してデータの送受信をするタイミングである。
【００１８】
パケット送受信手段用データ列１０は、複数の多重化されたパケットデータ１２、１３で構成され、固定速度データ送受信用データ列１１は、複数の多重化された固定速度データ１４、１５で構成される。
【００１９】
図示の例では、パケットデータ（＃１）−パケットデータ（＃３）１２は、パケットデータ送受信部２とパケットデータ送受信部４の間のデータ伝送に用いるタイミングである。また、パケットデータ（＃２）−パケットデータ（＃３）１３は、パケットデータ送受信部３とパケットデータ送受信部４の間のデータ伝送に用いるタイミングである。
【００２０】
一方、固定速度データ（＃１）−固定速度データ（＃２）１４は、固定速度データ送受信部５と固定速度データ送受信部６の間のデータ伝送に用いるタイミングである。固定速度データ（＃３）一固定速度データ（＃４）１５は、固定速度データ送受信部７と固定速度データ送受信部８の間のデータ伝送に用いるタイミングである。これらの送受信手段２〜８は多重位置制御部９によって決められたタイミングで互いに伝送する。
【００２１】
以上のように本発明の第１の実施の形態によれば、多重位置制御部９が送受信手段に対して伝送するタイミングを指示することによって多重伝送することができる。
【００２２】
なお、上記実施の形態では、図２の一定の周期内におけるパケットデータ１２，１３と、固定速度データ１４，１５の送受信時間は、それぞれ異なる時間長として記載したが、全ての送受信部２〜８に対して同一の固定時間を割り当て、パケットデータ１２，１３と、固定速度データ１４，１５の送受信時間（時刻）が同一となるよう固定してもよい。また、パケット送受信用データ列１０内、または固定速度データ送受信用データ列１１内においても、各送受信部２〜８で送受信される各パケットデータ＃１〜＃４と、各固定速度データ＃１〜＃４の時間（時刻）の割り当てを同一に固定してもよい。
【００２３】
次に、図３を用いて本発明の第２の実施の形態を説明する。図示のように、この実施形態の装置には、パケットデータ送受信部１７〜１９、および固定速度データ送受信部２０〜２３が送受信するデータを識別するための識別情報を送受する識別子信号部２５が設けられている。
【００２４】
図３において、多重伝送部１６は、送受信部１７〜２３により送受信されるデータを多重伝送する。パケットデータ送受信部１７〜１９、および固定速度データ送受信部２０〜２３は、それぞれ多重伝送部１６に対してデータの送受信をする。多重位置制御部２４は、パケットデータまたは固定速度データを任意に選択し、識別子信号部２５にパケットデータまたは固定速度データの識別子を送信する。識別子信号部２５は、多重伝送部１６で伝送しているデータのパケットデータおよび固定速度データを識別するための識別子信号を伝送する。識別子信号は、送受信するデータに識別情報を多重化して用いる構成の他、送受信の装置間の信号線を介して識別情報を送受信する構成とすることができる。
【００２５】
次に、上記構成によるパケットおよび固定速度データの多重化送信の動作を説明する。多重位置制御部２４は、多重伝送部１６へ送信する送受信部１７〜２３を任意に選択して選択した送受信部１７〜２３に指示する。同時に選択した送受信部１７〜２３に基づき、識別子信号部２５に対し送信データが固定速度データまたはパケットデータである旨を区別するための識別子を送信する。
【００２６】
多重位置制御部２４によって送信するタイミングが指示されたパケットデータ送受信部１７〜１９、および固定速度データ送受信部２０〜２３は、この指示されたタイミングで多重伝送部１６でデータを送信する。多重伝送部１６は、選択された送受信部１７〜２３から送信されたデータを多重送信する。識別子信号部２５は、多重位置制御部２４から送信されたパケットデータおよび固定速度データを区別する信号を送信する。
【００２７】
一方、受信時には、識別子信号部２５は受信データから固定速度データまたはパケットデータであることを示す識別子を検出して多重位置制御部２４に伝送する。多重位置制御部２４は、識別子信号部２５から信号を受信し、識別子が示すパケットデータあるいは固定速度データに基づき対応するパケットデータ送受信部１７〜１９、あるいは固定速度データ送受信部２０〜２３を選択して受信を指示する。パケットデータ送受信部１７〜１９および固定速度データ送受信部２０〜２３は多重位置制御部２４より受信の指示を受けると、多重伝送部１６よりデータを受信する。
【００２８】
以上のように本発明の第２の実施形態によれば、識別子信号部２５が固定速度データまたはパケットデータであることを示す識別子を送受信し、多重位置制御部２４によって送受信部を選択することによって、任意のタイミングでパケットデータ及び固定速度データを多重化して送受信することができるようになる。
また、この第２の実施形態においては、図２記載のように一定の周期で多重伝送をする構成の他、上記パケットデータあるいは固定速度データの選択により、一定の周期を全てパケットデータの伝送だけに、あるいは固定速度データの伝送だけに使用する構成とすることもできるようになる。さらに、パケットデータおよび固定速度データの時間（時刻）の割り当てが同一となるように固定して用いることもできる。また、パケットデータまたは固定速度データのどちらかの時間の割り当てを固定し、対応して他方の時間の割り当てるようにしてもよい。このように、識別子を付与することにより一定の周期内でパケットデータと固定速度データを任意に混在させることができるようになる。
【００２９】
【発明の効果】
本発明によれば、パケット送受信手段および固定速度データ送受信手段が送受信するタイミングを決定することによって、同一のバス等の伝送手段を使って、パケットデータおよび固定速度データを多重伝送することができるという効果を有する。
【００３０】
また、請求項２によれば、パケットデータおよび固定速度データが送受信するタイミングを一連の固定タイミングを一定の周期で繰り返して多重伝送できるようになる。請求項３によれば、固定速度データまたはパケットデータの送受信タイミングを任意に多重伝送できるようになる。請求項４によれば、送信するデータに固定速度データまたはパケットデータに対応した識別情報を付加して送信するため、受信側ではこの識別情報に基づき受信したデータが固定速度データまたはパケットデータのいずれであるかを容易に判別できる。また請求項５のように、この識別情報は信号線を介して送信することもできる。
【図面の簡単な説明】
【図１】本発明の多重伝送装置の第１の実施形態を示すブロック図
【図２】パケットデータ及び固定速度データの多重伝送のタイミングを示すタイミングチャート
【図３】本発明の装置の第２の実施形態を示すブロック図
【図４】従来の固定速度データ伝送装置を示すブロック図
【符号の説明】
１，１６  多重伝送部
２，３，４，１７，１８，１９  パケットデータ送受信部
５，６，７，８，２０，２１，２２，２３  固定速度データ送受信部
９，２４  多重位置制御部
２５  識別子信号部
【図１】
0004215895.tif 000002
【図２】
0004215895.tif 000003
【図３】
0004215895.tif 000004
【図４】
0004215895.tif 000005